(57)【要約】【課題】再利用可能で、資源の無駄遣いを抑制しながらコストの低減化を図ることができる防塵カバーを提供すること。【解決手段】輸送パレット３０に積載された建築材料４０を覆うことにより建築材料４０に塵埃物が付着することを防止する防塵カバー１であって、矩形状をなす平板状の基部１０と、基部１０における端部のそれぞれに自身の基端部分が取り付けられたシート体２０とを備えてなり、常態においては、シート体２０のそれぞれを屈曲させた状態で基部１０に係止手段を介して係止させた姿勢となる一方、使用する場合においては、基部１０が建築材料４０に載置し、かつシート体２０のそれぞれが垂下した態様で延在することにより建築材料４０を覆う姿勢となるものである。【選択図】図１
2011011810.tif 000002
【特許請求の範囲】
【請求項１】
輸送パレットに積載された建築材料を覆うことにより該建築材料に塵埃物が付着することを防止する防塵カバーであって、
矩形状をなす平板状の基部と、
前記基部における端部のそれぞれに自身の基端部分が取り付けられたシート体と
を備えてなり、
常態においては、前記シート体のそれぞれを屈曲させた状態で前記基部に係止手段を介して係止させた姿勢となる一方、使用する場合においては、前記基部が前記建築材料に載置し、かつ前記シート体のそれぞれが垂下した態様で延在することにより該建築材料を覆う姿勢となることを特徴とする防塵カバー。
【請求項２】
前記基部の両側端部に取り付けられたシート体は、基端部が軟質性材料により構成されるとともに、前記基端部に連続する先端部が該基端部よりも硬質な材料により構成されることを特徴とする請求項１に記載の防塵カバー。
【請求項３】
前記基端部の前端部及び後端部に取り付けられたシート体は、透過性を有する軟質性材料により構成されることを特徴とする請求項２に記載の防塵カバー。
【請求項４】
前記係止手段は、
前記シート体のそれぞれの外表面に配設されたシート用の面ファスナと、
前記基部の上面においてシート体毎に応じて配設された基部用の面ファスナと
を有し、
各シート体を屈曲させ、かつそれぞれのシート体のシート用の面ファスナを対応する基部用の面ファスナに接着させることにより、前記基部の上面に各シート体が屈曲した状態で係止されて収納状態になることを特徴とする請求項１〜３のいずれか一つに記載の防塵カバー。
【発明の詳細な説明】
【技術分野】
【０００１】
本発明は、防塵カバーに関し、より詳細には、輸送パレットに積載された建築材料を覆うことにより、該建築材料に塵埃物が付着することを防止するための防塵カバーに関するものである。
【背景技術】
【０００２】
従来、例えば長尺状のサッシ構成材料等の建築材料を輸送する場合には次のようにして行われていた。すなわち、防塵性を確保する観点から建築材料を所定の長さ毎に区分けしてそれぞれをポリシート（ポリビニルシート）で包み込んでから輸送パレットに積載し、積載した建築材料の上面に輸送パレット養生用のプラスチック段ボール（プラダンシート）を載置していた。そのようにして建築材料を出荷した後、輸送パレットは、該パレットの上面がプラダンシートに被覆されて保護された状態で返却されることになる。
【０００３】
このようにして建築材料の輸送を行った場合、ポリシートは、顧客側、すなわち出荷先側で取り外されて廃棄処理されており、資源の無駄遣いやコストの増大化の要因と指摘されることもあった。
【０００４】
そこで、特許文献１に提案されているように、ある程度の剛性が確保された板材を利用して底面が開放した直方体を形成し、かかる直方体の内部に建築材料が収容されるようにして該直方体を輸送パレットに載置して輸送することも考えられる。これによれば、かかる直方体が出荷後分解して、輸送パレットともに輸送元に返却することにより再利用が可能であり、資源の無駄遣いを解消し、コストの低減化を図ることも可能である。
【先行技術文献】
【特許文献】
【０００５】
【特許文献１】特開２００１−１８０７６７号公報
【発明の概要】
【発明が解決しようとする課題】
【０００６】
ところで、輸送対象となる建築材料においては、サッシ構成材料のように種々の長さのものが存在する。そのため、特許文献１に提案されているような直方体を利用して輸送を行う場合には、直方体はあらゆる長さの建築材料を収容する必要があることから最も長い建築材料も収容できる大きさを有していることが要求される。
【０００７】
よって、実際に輸送対象となる建築材料が十分な長さを有しておらず、かつその数量も小さい場合でも上記直方体に収容することで直方体の容積分が輸送に必要な容量となる。従って、このような直方体に建築材料を収容した輸送パレットを複数台輸送する場合には、余分なスペースを必要とし実情に沿わない。
【０００８】
本発明は、上記実情に鑑みて、再利用可能で、資源の無駄遣いを抑制しながらコストの低減化を図ることができる防塵カバーを提供することを目的とする。
【課題を解決するための手段】
【０００９】
上記目的を達成するために、本発明の請求項１に係る防塵カバーは、輸送パレットに積載された建築材料を覆うことにより該建築材料に塵埃物が付着することを防止する防塵カバーであって、矩形状をなす平板状の基部と、前記基部における端部のそれぞれに自身の基端部分が取り付けられたシート体とを備えてなり、常態においては、前記シート体のそれぞれを屈曲させた状態で前記基部に係止手段を介して係止させた姿勢となる一方、使用する場合においては、前記基部が前記建築材料に載置し、かつ前記シート体のそれぞれが垂下した態様で延在することにより該建築材料を覆う姿勢となることを特徴とする。
【００１０】
このように矩形状をなす平板状の基部と、基部における端部のそれぞれに自身の基端部分が取り付けられたシート体とを備えてなる防塵カバーは、常態においては、シート体のそれぞれを屈曲させた状態で基部に係止手段を介して係止させた姿勢となる一方、使用する場合においては、基部が建築材料に載置し、かつシート体のそれぞれが垂下した態様で延在することにより該建築材料を覆う姿勢となるので、建築材料の輸送時には防塵性を確保することができ、建築材料の輸送後には収納状態にして輸送元に返却することができ、再利用が可能になる。
【００１１】
また、本発明の請求項２に係る防塵カバーは、上述した請求項１において、前記基部の両側端部に取り付けられたシート体は、基端部が軟質性材料により構成されるとともに、前記基端部に連続する先端部が該基端部よりも硬質な材料により構成されることを特徴とする。
【００１２】
このように両側端部に取り付けられたシート体は、基端部が軟質性材料により構成されるとともに、基端部に連続する先端部が該基端部よりも硬質な材料により構成されるので、先端部の方が基端部よりも重量増となり、防塵カバーの使用状態において容易に垂下した状態に延在させることが可能で、しかも収納状態にする場合には、基端部と先端部との境界部分で容易に屈曲させることができる。
【００１３】
また、本発明の請求項３に係る防塵カバーは、上述した請求項２において、前記基端部の前端部及び後端部に取り付けられたシート体は、透過性を有する軟質性材料により構成されることを特徴とする。
【００１４】
このように基端部の前端部及び後端部に取り付けられたシート体は、透過性を有する軟質性材料により構成されるので、垂下した状態で延在することにより、輸送対象となる建築材料を外部から視認することが可能である。
【００１５】
また、本発明の請求項４に係る防塵カバーは、上述した請求項１〜３のいずれか一つにおいて、前記係止手段は、前記シート体のそれぞれの外表面に配設されたシート用の面ファスナと、前記基部の上面においてシート体毎に応じて配設された基部用の面ファスナとを有し、各シート体を屈曲させ、かつそれぞれのシート体のシート用の面ファスナを対応する基部用の面ファスナに接着させることにより、前記基部の上面に各シート体が屈曲した状態で係止されて収納状態になることを特徴とする。
【００１６】
このように各シート体を屈曲させ、かつそれぞれのシート体のシート用の面ファスナを対応する基部用の面ファスナに接着させることにより、基部の上面に各シート体が屈曲した状態で係止されて収納状態になることにより、防塵カバー自体が平板に極めて近似した状態になり、前後長及び左右幅を基部と同じ大きさにすることができる。
【発明の効果】
【００１７】
本発明に係る防塵カバーによれば、再利用可能で、資源の無駄遣いを抑制しながらコストの低減化を図ることができるという効果を奏する。
【図面の簡単な説明】
【００１８】
【図１】図１は、本発明の実施の形態である防塵カバーを展開して上方から見た場合を示す平面図である。
【図２】図２は、図１に示した防塵カバー１の収納状態を上方から見た場合を示す平面図である。
【図３】図３は、図１及び図２に示した防塵カバーを輸送される建築材料に適用される場合を模式的に示す斜視図である。
【図４】図４は、図１及び図２に示した防塵カバーを輸送される建築材料に適用される場合を模式的に示す斜視図である。
【図５】図５は、図４に示したように使用状態にある防塵カバーを使用後に収納状態に戻す手順を模式的に示す斜視図である。
【図６】図６は、図４に示したように使用状態にある防塵カバーを使用後に収納状態に戻す手順を模式的に示す斜視図である。
【図７】図７は、図４に示したように使用状態にある防塵カバーを使用後に収納状態に戻す手順を模式的に示す斜視図である。
【図８】図８は、図４に示したように使用状態にある防塵カバーを使用後に収納状態に戻す手順を模式的に示す斜視図である。
【図９】図９は、図４に示したように使用状態にある防塵カバーを使用後に収納状態に戻す手順を模式的に示す斜視図である。
【図１０】図１０は、図４に示したように使用状態にある防塵カバーを使用後に収納状態に戻す手順を模式的に示す斜視図である。
【図１１】図１１は、図４に示したように使用状態にある防塵カバーを使用後に収納状態に戻す手順を模式的に示す斜視図である。
【図１２】図１２は、図４に示したように使用状態にある防塵カバーを使用後に収納状態に戻す手順を模式的に示す斜視図である。
【図１３】図１３は、図４に示したように使用状態にある防塵カバーを使用後に収納状態に戻す手順を模式的に示す斜視図である。
【図１４】図１４は、図４に示したように使用状態にある防塵カバーを使用後に収納状態に戻す手順を模式的に示す斜視図である。
【図１５】図１５は、図４に示したように使用状態にある防塵カバーを使用後に収納状態に戻す手順を模式的に示す斜視図である。
【図１６】図１６は、図４に示したように使用状態にある防塵カバーを使用後に収納状態に戻す手順を模式的に示す斜視図である。
【図１７】図１７は、図４に示したように使用状態にある防塵カバーを使用後に収納状態に戻す手順を模式的に示す斜視図である。
【発明を実施するための形態】
【００１９】
以下、添付図面を適宜参照しながら本発明に係る防塵カバーの好適な実施の形態について詳細に説明する。
【００２０】
図１は、本発明の実施の形態である防塵カバーを展開して上方から見た場合を示す平面図である。ここで例示する防塵カバー１は、基部１０を備えて構成してある。
【００２１】
基部１０は、例えばプラスチックダンボール等から形成された矩形状の平板材である。この基部１０の端部、すなわち前端部１１、後端部１２、左側端部１３及び右側端部１４には、それぞれ矩形状のシート体２０が取り付けてある。
【００２２】
基部１０の前端部１１に取り付けたシート体２０（以下、前側シート体２０ａともいう）は、例えばポリシートのような透過性を有する軟質性材料から構成してある。この前側シート体２０ａには、その略中間となる領域に棒状の補助バー部材２１ａが基部１０の前端部１１と平行となる態様で配設してある。補助バー部材２１ａは、例えばプラスチックダンボール等から形成されたものである。この補助バー部材２１ａの中央部分の後端側には面ファスナ２２ａが設けてある。
【００２３】
基部１０の後端部１２に取り付けたシート体２０（以下、後側シート体２０ｂともいう）は、上記前側シート体２０ａと同様に例えばポリシートのような透過性を有する軟質性材料から構成してあり、上記前側シート体２０ａの前後長及び左右幅と略同一の前後長及び左右幅を有するものである。
【００２４】
この後側シート体２０ｂには、その略中間となる領域に棒状の補助バー部材２１ｂが基部１０の後端部１２と平行となる態様で配設してある。補助バー部材２１ｂは、例えばプラスチックダンボール等から形成されたものである。この補助バー部材２１ｂの中央部分の前端側には面ファスナ２２ｂが設けてある。
【００２５】
基部１０の左側端部１３に取り付けたシート体２０（以下、左側シート体２０ｃともいう）は、基部１０側に位置する基端部２０ｃ１と、この基端部２０ｃ１の左端部に連続して形成された先端部２０ｃ２とを備えて構成してある。
【００２６】
基端部２０ｃ１は、上記前側シート体２０ａ及び上記後側シート体２０ｂと同様に例えばポリシートのような透過性を有する軟質性材料から構成してある。この基端部２０ｃ１には、基部１０の左側端部１３に近接する領域に棒状の補助プレート部材２１ｃが基部１０の左側端部１３と平行となる態様で配設してある。補助プレート部材２１ｃは、例えばプラスチックダンボール等から形成されたものである。
【００２７】
先端部２０ｃ２は、上記基部１０と同様な例えばプラスチックダンボール等のように基端部２０ｃ１よりも硬質な材料により構成してある。この先端部２０ｃ２は、基端部２０ｃ１と略同一の前後長及び左右幅を有している。また、先端部２０ｃ２の中央域における右端部分には面ファスナ２２ｃが設けてある。
【００２８】
基部１０の右側端部１４に取り付けたシート体２０（以下、右側シート体２０ｄともいう）は、基部１０側に位置する基端部２０ｄ１と、この基端部２０ｄ１の右端部に連続して形成された先端部２０ｄ２とを備えて構成してあり、上記左側シート体２０ｃの前後長及び左右幅と略同一の前後長及び左右幅を有するものである。
【００２９】
基端部２０ｄ１は、上記前側シート体２０ａ及び上記後側シート体２０ｂと同様に例えばポリシートのような透過性を有する軟質性材料から構成してある。この基端部２０ｄ１には、基部１０の右側端部１４に近接する領域に棒状の補助プレート部材２１ｄが基部１０の右側端部１４と平行となる態様で配設してある。補助プレート部材２１ｄは、例えばプラスチックダンボール等から形成されたものである。
【００３０】
先端部２０ｄ２は、上記基部１０と同様な例えばプラスチックダンボール等のように基端部２０ｄ１よりも硬質な材料により構成してある。この先端部２０ｄ２は、基端部２０ｄ１と略同一の前後長及び左右幅を有している。また、先端部２０ｄ２の中央域における左端部分には面ファスナ２２ｄが設けてある。
【００３１】
このような構成を有する防塵カバー１は、次のような状態で収納されている。図２は、図１に示した防塵カバー１の収納状態を上方から見た場合を示す平面図である。この図２に示すように、まず、前側シート体２０ａ及び後側シート体２０ｂが、それぞれ補助バー部材２１ａ，２１ｂを頂部として上方に向けて凸となる態様で屈曲され、それぞれの補助バー部材２１ａ，２１ｂに設けた面ファスナ２２ａ，２２ｂが、基部１０の上面に設けた面ファスナ１１ａ，１１ｂに接着されて基部１０の上面に係止される。次に、左側シート体２０ｃ及び右側シート体２０ｄが、それぞれ基端部２０ｃ１，２０ｄ１と先端部２０ｃ２，２０ｄ２との境界で上方に凸となる態様で屈曲され、それぞれの基端部２０ｃ１，２０ｄ１に設けた面ファスナ２２ｃ，２２ｄが、基部１０の上面に設けた面ファスナ１１ｃ，１１ｄに接着されて基部１０の上面に係止され、収納状態となる。ここで、各シート体２０に設けた面ファスナ２２ａ，２２ｂ，２２ｃ，２２ｄは、基部１０の上面に設けた面ファスナ１１ａ，１１ｂ，１１ｃ，１１ｄとともに、各シート体２０を基部１０に係止する係止手段を構成している。
【００３２】
図３及び図４は、それぞれ図１及び図２に示した防塵カバーを輸送される建築材料に適用される場合を模式的に示す斜視図である。
【００３３】
図３に示すように、輸送される建築材料４０は、例えばサッシ構成材料のような長尺状のもので、輸送パレット３０の上面に積載されている。輸送パレット３０は、従来公知の周知のものであるが、その上面には、４つの支柱３１がそれぞれ同一の矩形の頂部となる個所に立設してあり、これら４つの支柱３１に囲繞される領域に建築材料４０が積載されている。
【００３４】
そして、輸送パレット３０に積載された建築材料４０群の上面に収納状態にある防塵カバー１の基部１０を４つの支柱３１により位置決めされて載置し、該基部１０に係止された各シート体２０（２０ａ，２０ｂ，２０ｃ，２０ｄ）を基部１０との係止状態を解除して垂下した状態に延在させることにより、図４に示すように建築材料４０を覆うことができ、該建築材料４０に塵埃物が付着することを防止することができる。その後、輸送パレット３０は、輸送先に輸送される。
【００３５】
この図４から明らかなように、前側シート体２０ａ及び後側シート体２０ｂの前後長は、前側シート体２０ａ及び後側シート体２０ｂがそれぞれ垂下した状態に延在した場合に、建築材料４０を覆うのに十分な大きさを有している。また、左側シート体２０ｃ及び右側シート体２０ｄの左右幅は、左側シート体２０ｃ及び右側シート体２０ｄがそれぞれ垂下した状態で延在した場合に、建築材料４０を覆うのに十分な大きさを有している。
【００３６】
図５〜図１７は、それぞれ図４に示したように使用状態にある防塵カバー１を使用後に収納状態に戻す手順を模式的に示す斜視図である。これら図５〜図１７を参照しながら説明する。
【００３７】
図５に示すように前側シート体２０ａを補助バー部材２１ａで屈曲させ、図６に示すように基部１０の前端部１１との接続部分（基端部分）を基準にして上方に向けて折り曲げることにより、前側シート体２０ａは、図７に示すように基部１０の上面に屈曲した状態となり、補助バー部材２１ａに設けた面ファスナ２２ａ（図１参照）を基部１０の上面の面ファスナ１１ａ（図１参照）に接着させることにより、図８に示すように基部１０に係止する。
【００３８】
図９に示すように後側シート体２０ｂを補助バー部材２１ｂで屈曲させ、図１０に示すように基部１０の後端部１２との接続部分（基端部分）を基準にして上方に向けて折り曲げることにより、後側シート体２０ｂは、図１１に示すように基部１０の上面に屈曲した状態となり、補助バー部材２１ｂに設けた面ファスナ２２ｂ（図１参照）を基部１０の上面の面ファスナ１１ｂ（図１参照）に接着させることにより、基部１０に係止する。
【００３９】
図１２に示すように左側シート体２０ｃを、基端部２０ｃ１と先端部２０ｃ２との間で屈曲させながら基端部分を基準として上方に向けて折り曲げることにより、左側シート体２０ｃは、図１３に示すように基部１０の上面に屈曲した状態となり、図１４に示すように面ファスナ２２ｃ（図１参照）を基部１０の上面の面ファスナ１１ｃ（図１参照）に接着させることにより、基部１０に係止する。
【００４０】
図１５に示すように右側シート体２０ｄを、基端部２０ｄ１と先端部２０ｃ２との間で屈曲させながら基端部分を基準として上方に向けて折り曲げることにより、右側シート体２０ｄは、図１６に示すように基部１０の上面に屈曲した状態となり、図１７に示すように面ファスナ２２ｄ（図１参照）を基部１０の上面の面ファスナ１１ｄ（図１参照）に接着させることにより、基部１０に係止し、これにより防塵カバー１は、図２に示したような収納状態となる。その後、このような収納状態となった防塵カバー１は、輸送パレット３０に載置された状態で輸送元に返却されることになる。
【００４１】
以上説明したように本実施の形態である防塵カバー１は、矩形状をなす平板状の基部１０と、基部１０における端部１１，１２，１３，１４のそれぞれに自身の基端部分が取り付けられたシート体２０とを備えてなり、常態においては、シート体２０のそれぞれを屈曲させた状態で基部１０に係止させた姿勢（収納状態）となる一方、使用する場合においては、基部１０が建築材料４０に載置し、かつシート体２０のそれぞれが垂下した態様で延在することにより該建築材料４０を覆う姿勢（使用状態）となるので、建築材料４０の輸送時には防塵性を確保することができ、建築材料４０の輸送後には収納状態にして輸送元に返却することができる。そのため、防塵カバー１の再利用が可能であり、資源の無駄遣いを抑制しながらコストの低減化を図ることができる。特に、使用状態においては、シート体２０を垂下した状態に延在させるので、実際に輸送される建築材料４０の長さや形状に応じてその延在姿勢を変形させて適合させることが可能である。しかも、従来のように輸送先でポリシートを取り外す必要がなく、時間の短縮化を図ることも可能である。
【００４２】
また、上記防塵カバー１によれば、左側シート体２０ｃ及び右側シート体２０ｄは、基端部２０ｃ１，２０ｄ１がポリシートと同質の軟質性材料により構成され、先端部２０ｃ２，２０ｄ２が基端部２０ｃ１，２０ｄ１よりも硬質な材料から形成されているため、先端部２０ｃ２，２０ｄ２の方が基端部２０ｃ１，２０ｄ１よりも重量増となり、防塵カバー１の使用状態において容易に垂下した状態に延在させることが可能で、しかも収納状態にする場合には、基端部２０ｃ１，２０ｄ１と先端部２０ｃ２，２０ｄ２との境界部分で容易に屈曲させることができる。
【００４３】
更に、上記防塵カバー１によれば、前側シート体２０ａ及び後側シート体２０ｂは、透過性を有する軟質性材料により構成されるので、使用状態において輸送対象となる建築材料４０を外部から視認することが可能である。また、前側シート体２０ａ及び後側シート体２０ｂには、その略中間となる領域に補助バー部材２１ａ，２１ｂが設けてあることから、収納状態にする場合にはかかる補助バー部材２１ａ，２１ｂで容易に屈曲させることができる。
【００４４】
以上、本発明の好適な実施の形態について説明したが、本発明はこれに限定されるものではなく、種々の変更を行うことができる。
【００４５】
上述した実施の形態においては、前側シート体２０ａ及び後側シート体２０ｂは、使用時において垂下した状態に延在していたが、本発明においては、必要に応じて左側シート体２０ｃ及び右側シート体２０ｄと係合手段を介して係合することにより、箱体を構成するようにしても構わない。
【産業上の利用可能性】
【００４６】
以上のように、本発明に係る防塵カバーは、例えば建物材料を輸送パレットに積載して輸送する場合において有用である。
【符号の説明】
【００４７】
１  防塵カバー
１０  基部
１１ａ，１１ｂ，１１ｃ，１１ｄ  面ファスナ
２０  シート体
２０ａ  前側シート体
２０ｂ  後側シート体
２０ｃ  左側シート体
２０ｄ  右側シート体
２０ｃ１，２０ｄ１  基端部
２０ｃ２，２０ｄ２  先端部
２１ａ，２１ｂ  補助バー部材
２１ｃ，２１ｄ  補助プレート部材
２２ａ，２２ｂ，２２ｃ，２２ｄ  面ファスナ
３０  輸送パレット
３１  支柱
４０  建築材料
【図１】
2011011810.tif 000003
【図２】
2011011810.tif 000004
【図３】
2011011810.tif 000005
【図４】
2011011810.tif 000006
【図５】
2011011810.tif 000007
【図６】
2011011810.tif 000008
【図７】
2011011810.tif 000009
【図８】
2011011810.tif 000010
【図９】
2011011810.tif 000011
【図１０】
2011011810.tif 000012
【図１１】
2011011810.tif 000013
【図１２】
2011011810.tif 000014
【図１３】
2011011810.tif 000015
【図１４】
2011011810.tif 000016
【図１５】
2011011810.tif 000017
【図１６】
2011011810.tif 000018
【図１７】
2011011810.tif 000019